(57)【要約】【課題】組み立てが容易なコンテナを提供する。【解決手段】コンテナは、床土台１２と、床土台１２の上に固定される壁パネル１３ａと、壁パネル１３ａの上に固定される天井パネルと、壁パネル１３ａを床土台１２に固定するための第１のねじ２６と、天井パネルを壁パネル１３ａに固定するための第２のねじとを備える。第１のねじ２６の頭部２４ａが床土台１２の内部に配置され、床土台１２の側面に第１のねじ２６の頭部２４ａまで達する第１の穴３１が設けられている。【選択図】図２
2013245520.tif 000002
【特許請求の範囲】
【請求項１】
床土台と、
前記床土台の上に固定される壁パネルと、
前記壁パネルの上に固定される天井パネルと、
前記壁パネルを前記床土台に固定するための第１のねじと、
前記天井パネルを前記壁パネルに固定するための第２のねじと、を備え、
前記第１のねじの頭部が前記床土台又は前記壁パネルの内部に配置され、
前記床土台又は前記壁パネルの側面に前記第１のねじの頭部まで達する第１の穴が設けられている
ことを特徴とするコンテナ。
【請求項２】
前記第１のねじは、第１のおねじと第１のめねじとからなり、
前記第１のねじの頭部は、前記第１のおねじに形成され、
前記第１のめねじは、長方形に近い平面形状を有し、
前記第１のおねじの頭部が配置されていない前記床土台又は前記壁パネルには、第１のめねじ受け部が設けられ、
前記第１のめねじ受け部は、前記第１のめねじが挿入可能な開口を有し、前記第１のめねじ受け部の内径は、前記長方形の長辺よりも短い
ことを特徴とする請求項１に記載のコンテナ。
【請求項３】
前記床土台の上面に敷かれる床パネルを更に備え、
前記床パネルの外周には前記床パネルの一部を外側へ突出させた突出部が設けられ、
前記突出部は前記床土台と前記壁パネルとが接触する面の間に挟まれている
ことを特徴とする請求項１又は請求項２のいずれか一項に記載のコンテナ。
【請求項４】
前記第１の穴は、前記コンテナの内部に位置する前記壁パネルの側面に設けられていることを特徴とする請求項１乃至請求項３のいずれか一項に記載のコンテナ。
【請求項５】
床土台と、
前記床土台の上に固定される壁パネルと、
前記壁パネルの上に固定される天井パネルと、
前記壁パネルを前記床土台に固定するための第１のねじと、
前記天井パネルを前記壁パネルに固定するための第２のねじと、を備え、
前記第２のねじの頭部が前記壁パネルの内部に配置され、
前記壁パネルの側面に前記第２のねじの頭部まで達する第２の穴が設けられている
ことを特徴とするコンテナ。
【請求項６】
前記第２のねじは、第２のおねじと第２のめねじとからなり、
前記第２のねじの頭部は、前記第２のおねじに形成され、
前記第２のめねじは、長方形に近い平面形状を有し、
前記天井パネルには、第２のめねじ受け部が設けられ、
前記第２のめねじ受け部は、前記第２のめねじが挿入可能な開口を有し、前記第２のめねじ受け部の内径は、前記長方形の長辺よりも短い
ことを特徴とする請求項５に記載のコンテナ。
【請求項７】
前記第２の穴は、前記コンテナの内部に位置する前記壁パネルの側面に設けられていることを特徴とする請求項５又は請求項６のいずれか一項に記載のコンテナ。
【発明の詳細な説明】
【技術分野】
【０００１】
本発明は、収納物を屋外の環境から保護するためのコンテナであって、複数の板状部材を組み立てて構成されるコンテナに関する。
【背景技術】
【０００２】
防災物資を屋外で保管する際、又は携帯電話などの無線中継基地を屋外に設置する際、防災物資や無線中継基地は、屋外の環境から保護するためにコンテナの中に収納される。このようなコンテナは、通常、天井パネル、床土台、及び天井パネルと床土台の間に配置される壁パネルを、接続部材を用いて接続することにより組み立てられるのが一般的である（例えば、特許文献１参照）。
【０００３】
特許文献１では、天井パネルと壁パネルとを接続部材を介して接続する場合、特許文献１の図２に示されているように、第１の接続箇所Ｂにおいて接続部材の凹部を天井パネルに嵌め込んで固定し、第２の接続箇所Ｃにおいてリベットを用いて固定している。更に、第３の接続箇所Ｄにおいて壁パネルはビスを用いて接続部材に固定されている。
【先行技術文献】
【特許文献】
【０００４】
【特許文献１】特開２００８−１８９３５０号公報
【発明の概要】
【発明が解決しようとする課題】
【０００５】
しかしながら、特許文献１では、接続部材の凹部に天井パネルを嵌合させ、リベットを用いて天井パネルに接続部材を取り付け、更にビスを用いて接続部材に壁パネルを取り付けることにより、壁パネルの上に天井パネルを組み立てることができる。この組立作業は専門の作業所において専門の作業者により行う必要が有ったため、組み上がったコンテナを大型の貨物車両に搭載してコンテナの設置場所まで搬送する必要がった。発明者は、組立前の各パネルをコンテナの設置場所まで搬送し、搬送先において容易にコンテナの組み立てができるようにしたいという課題を認識していた。
【０００６】
本発明は、上記した発明者が認識する課題に基づき成されたものであり、その目的は、組み立てが容易なコンテナを提供することである。
【課題を解決するための手段】
【０００７】
本発明の第１の特徴は、床土台と、床土台の上に固定される壁パネルと、壁パネルの上に固定される天井パネルと、壁パネルを床土台に固定するための第１のねじと、天井パネルを壁パネルに固定するための第２のねじとを備えるコンテナであって、第１のねじの頭部が床土台又は壁パネルの内部に配置され、床土台又は壁パネルの側面に第１のねじの頭部まで達する第１の穴が設けられていることである。
【０００８】
本発明の第１の特徴によれば、コンテナを組み立てる施工者は、この第１の穴を介して、スクリュードライバーの先端を第１のねじの頭部に差し込むことにより、スクリュードライバーを用いて第１のねじを回転させて締め付けることができるので、容易に、壁パネルを床土台に固定したり、その固定を解除したりすることができる。
【０００９】
本発明の第２の特徴は、床土台と、床土台の上に固定される壁パネルと、壁パネルの上に固定される天井パネルと、壁パネルを床土台に固定するための第１のねじと、天井パネルを壁パネルに固定するための第２のねじとを備えるコンテナであって、第２のねじの頭部が壁パネルの内部に配置され、壁パネルの側面に第２のねじの頭部まで達する第２の穴が設けられていることである。
【００１０】
本発明の第２の特徴によれば、コンテナを組み立てる施工者は、この第２の穴を介して、スクリュードライバーの先端を第２のねじの頭部に差し込むことにより、スクリュードライバーを用いて第２のねじを回転させて締め付けることができるので、容易に、天井パネルを壁パネルに固定したり、その固定を解除したりすることができる。
【発明の効果】
【００１１】
以上説明したように、本発明によれば、組み立てが容易なコンテナを提供することができる。
【図面の簡単な説明】
【００１２】
【図１】図１は、本発明に係わるコンテナを適用した実施の形態の１つである防災用備蓄倉庫の全体構成を示す斜視図である。
【図２】図２（ａ）及び図２（ｂ）は、図１のＡ−Ａ切断面に沿った断面図であり、第１のねじ２６を用いた床土台１２と壁パネル１３ａとの接続構造を示す。図２（ａ）は接続前の状態を示し、図２（ｂ）は接続後の状態を示す。
【図３】図３（ａ）及び図３（ｂ）は、図２の第１のめねじ２５と第１のめねじ受け部３３との接続関係を示す断面図であって、図３（ａ）は接続前の状態を示し、図３（ｂ）は接続後の状態を示す。
【図４】図４は、第１の実施形態の第１変形例に係わる断面図であって、第１のねじを用いた床土台１２と壁パネル１３ａとの接続構造の他の例を示す。
【図５】図５は、第１の実施形態の第２変形例に係わる断面図であって、第１のねじを用いた床土台１２と壁パネル１３ａとの接続構造の他の例を示す。
【図６】図６（ａ）及び図６（ｂ）は、図１のＢ−Ｂ切断面に沿った断面図であり、第２のねじ１６を用いた壁パネル１３ａと天井パネル１１との接続構造を示す。図６（ａ）は接続前の状態を示し、図６（ｂ）は接続後の状態を示す。
【図７】図７は、第２の実施形態の変形例に係わる断面図であって、第２のねじを用いた壁パネル１３ａと天井パネル１１との接続構造の他の例を示す。
【発明を実施するための形態】
【００１３】
以下図面を参照して、本発明の実施の形態を説明する。図面の記載において同一部分には同一符号を付している。
【００１４】
[第１の実施形態]
図１を参照して、本発明に係わるコンテナを適用した実施の形態の１つである防災用備蓄倉庫の全体構成を説明する。防災用備蓄倉庫は、床土台１２と、床土台１２の上に固定される４つの壁パネル１３ａ〜１３ｄと、壁パネル１３ａ〜１３ｄの上に固定される天井パネル１１とを備える。床土台１２と壁パネル１３ａ〜１３ｄの間、壁パネル１３ａ〜１３ｄと天井パネル１１の間が、接続部材としてのねじを用いてそれぞれ固定されることにより、防災用備蓄倉庫は組み立てられる。なお、図１では接続部材の図示を省略している。
【００１５】
その他、防災用備蓄倉庫には、収納物である防災用備品を搬入／搬出させるための扉１７、換気用ダクト１８、消火設備１９、赤色ランプ２０等が装備されている。
【００１６】
次に、図２（ａ）及び図２（ｂ）を参照して、第１のねじ２６を用いた床土台１２と壁パネル１３ａとの接続構造を説明する。ここでは、壁パネル１３ａを例示し、壁パネル１３ｂ〜１３ｄを省略するが、壁パネル１３ｂ〜１３ｄについても壁パネル１３ａと同様な接続構造を有する。図２（ａ）及び図２（ｂ）は、図１のＡ−Ａ切断面に沿った断面図であり、図２（ａ）は接続前の状態を示し、図２（ｂ）は接続後の状態を示す。
【００１７】
床土台１２は、その外周部において壁パネル１３ａに接続される。床土台１２の外周部には、壁パネル１３ａを床土台１２に固定するための第１のねじ２６が設けられている。第１のねじ２６の頭部２４ａは、床土台１２の内部に配置されている。具体的には、第１のねじ２６は、第１のおねじ２４と第１のめねじ２５とからなり、第１のねじ２６の頭部２４ａは、第１のおねじ２４に形成されている。床土台１２の外周部には、第１のおねじ２４の軸は通過するが、第１のおねじ２４の頭部及び第１のめねじ２５は通過しない大きさの穴が形成されている。第１のおねじ２４の頭部が床土台１２の内部に配置され、第１のおねじ２４の軸が、床土台１２の内部から外部に向けて突出している。床土台１２の外部において、第１のめねじ２５が第１のおねじ２４の軸に組み付けられている。
【００１８】
床土台１２の側面に第１のおねじ２４の頭部まで達する第１の穴３１が設けられている。第１の穴３１から第１のおねじ２４の頭部へ伸びる方向は、第１のおねじ２４の軸に対して所定の角度範囲内で傾斜している。ここで、「所定の角度範囲」とは、第１の穴３１を介して、スクリュードライバー２２の先端を第１のおねじ２４の頭部２４ａに差し込むことにより、スクリュードライバー２２を用いて第１のおねじ２４を回転させて締め付けることができる角度範囲である。例えば、第１のおねじ２４として六角穴付ボルト（キャップボルト）を用いた場合、ボールポイント六角棒スパナを使用できる角度範囲に設定すればよい。
【００１９】
一方、壁パネル１３ａには第１のおねじ２４の頭部２４ａが配置されていない。その代わりに、壁パネル１３ａの下部、つまり床土台１２の外周部と接続される部分には、所定の大きさの開口及び内径を有する第１のめねじ受け部３３が設けられている。図２（ａ）及び図３（ａ）に示すように、第１のめねじ２５は、長方形に近い平面形状を有する。第１のめねじ受け部３３は、第１のめねじ２５が挿入可能な開口３３ａを有する。第１のめねじ受け部３３の内径３３ｂは、長方形（第１のめねじ２５）の長辺よりも短い。第１のめねじ受け部３３の開口３３ａに対して、第１のめねじ２５を所定の角度に向けて第１のめねじ受け部３３の内部に挿入する。そして、図２（ｂ）及び図３（ｂ）に示すように、スクリュードライバー２２を用いて第１のおねじ２４を回転させることによって、第１のめねじ２５も回転して第１のめねじ受け部３３の内壁に当接して、第１のめねじ２５はそれ以上回転せずに固定される。この状態で、スクリュードライバー２２を用いて第１のおねじ２４を更に回転させることにより、第１のめねじ受け部３３を挟んだ状態で第１のおねじ２４を第１のめねじ２５に締め付ける。これにより、壁パネル１３ａを床土台１２に対して固定することができる。第１のめねじ２５が第１のめねじ受け部３３の内壁に当接して固定されるので、第１のおねじ２４の締め付けと同時に、床土台１２に対する壁パネル１３ａの位置出しを行うことができるので、防災用備蓄倉庫の組み立てが容易になる。
【００２０】
固定作業が終了した後、床土台１２の第１の穴３１は専用キャップにより塞ぐことにより、防災用備蓄倉庫の防犯性、環境耐久性、美観性が向上する。
【００２１】
図２（ａ）及び図２（ｂ）に示す防災用備蓄倉庫は、床土台１２の上面に敷かれる床パネル３２を更に備える。床パネル３２の外周には床パネル３２の一部を外側へ突出させた突出部３２ａが設けられている。突出部３２ａは床土台１２と壁パネル１３ａとが接触する面の間に挟まれている。具体的には、床パネル３２は、屋内に表出する内側金属板と、床土台１２に接する外側金属板と、外側金属板と内側金属板の間に挟まれるポリスチレンフォームとを備える。外側金属板或いは内側金属板の少なくともいずれか一方を、床パネル３２の外周から更に外側に突出させ、突出部３２ａを形成すればよい。これにより、第１のおねじ２４の締め付けと同時に、壁パネル１３ａ及び床土台１２に対して床パネル３２を固定することができる。よって、防災用備蓄倉庫の組み立てが更に容易になる。
【００２２】
[第１の実施形態の第１変形例]
図２（ａ）及び図２（ｂ）には、床土台１２の側面に第１の穴３１を形成する例を示したが、本発明はこれに限定されない。図４に示すように、第１の穴４１を、壁パネル１３ａの側面に形成してもよい。
【００２３】
図４は、第１の実施形態の第１変形例に係わる断面図であって、第１のねじ２６を用いた床土台１２と壁パネル１３ａとの接続構造の他の例を示す。壁パネル１３ａの側面に第１の穴４１が形成されている。壁パネル１３ａの側面から第１のおねじ２４の頭部２４ａまで到達する第１の穴４１の方向は、第１のおねじ２４の軸に対して前述した所定の角度範囲内で傾斜している。第１の穴４１を介して、スクリュードライバー２２の先端を第１のおねじ２４の頭部２４ａに差し込むことにより、スクリュードライバー２２を用いて第１のおねじ２４を回転させて締め付けることができる。
【００２４】
この場合、壁パネル１３ａの内部に第１のおねじ２４の頭部２４ａが配置され、床土台１２に第１のめねじ受け部４３が形成される。第１のめねじ受け部４３には第１のめねじ２５が挿入可能な開口が形成され、第１のめねじ受け部４３の内径は、長方形（第１のめねじ２５）の長辺よりも短い。よって、図２（ａ）及び図２（ｂ）と同様にして、第１のめねじ２５を第１のめねじ受け部４３内に挿入し且つ固定することができる。
【００２５】
なお、図４において、第１の穴４１は、防災用備蓄倉庫の内部に位置する壁パネル１３ａの側面に設けられている。第１の穴４１を防災用備蓄倉庫の内部つまり屋内側に形成することにより、防災用備蓄倉庫の外部から悪意を持つ者が第１のおねじ２４の締め付けを解除することができなくなるので、防犯効果を高めることができる。もちろん、第１の穴４１を防災用備蓄倉庫の外部つまり屋外側の側面に形成することも可能である。この場合、専用キャップを用いて第１の穴４１を塞ぐことにより、防犯効果を高めることができる。
【００２６】
[第１の実施形態の第２変形例]
図２（ａ）及び図２（ｂ）には、長方形に近い平面形状を有する第１のめねじ２５及び第１のめねじ受け部３３を組み合わせて用いることにより、自己整合的に床土台１２と壁パネル１３ａの位置合わせを行う例を示したが、本発明はこれに限定されるものではない。例えば、図５に示すように、床土台１２に壁パネル１３ａを固定する前に、第１のめねじとしての六角ナット３５を溶接などの方法により床土台１２に予め固定しておいてもよい。これにより、床土台１２に対して壁パネル１３ａを位置合わせする必要が無くなり、防災用備蓄倉庫の組み立てが更に容易になる。第１のめねじ（六角ナット３５）の部品コストを低減することができる。
【００２７】
第１の実施の形態及びその変形例では、天井パネル１１を壁パネル１３ａ〜１３ｄに接続する接続構造については特に限定しない。つまり、従来の接続構造であっても構わないし、第２の実施形態で示すように、本発明を適用した接続構造であっても構わない。よって、ここでは、天井パネル１１を壁パネル１３ａ〜１３ｄに接続する接続構造について詳細な図示及び説明を省略する。
【００２８】
以上説明したように、本発明の第１の実施形態によれば、以下の作用効果が得られる。
【００２９】
第１のねじ２６の頭部（第１のおねじ２４の頭部２４ａ）が床土台１２又は壁パネル１３ａ〜１３ｄの内部に配置され、床土台１２又は壁パネル１３ａ〜１３ｄの側面に第１のおねじ２４の頭部２４ａまで達する第１の穴３１、４１が設けられている。このため、施工者は、この第１の穴３１、４１を介して、スクリュードライバー２２の先端を第１のおねじ２４の頭部２４ａに差し込むことにより、スクリュードライバー２２を用いて第１のおねじ２４を回転させて締め付けることができるので、容易に、壁パネル１３ａ〜１３ｄを床土台１２に固定したり、その固定を解除したりすることができる。よって、コンテナの組み立て及び解体が容易になるので、組立前の各パネルを防災用備蓄倉庫の設置場所まで運び、設置場所において容易に防災用備蓄倉庫の組み立てができるようになる。
【００３０】
第１のめねじ２５は長方形に近い平面形状を有し、第１のおねじ２４の頭部２４ａが配置されていない床土台１２又は壁パネル１３ａ〜１３ｄには第１のめねじ受け部３３、４３が設けられている。そして、第１のめねじ受け部３３、４３は、第１のめねじ２５が挿入可能な開口３３ａを有し、第１のめねじ受け部３３、４３の内径３３ｂは、長方形の長辺よりも短い。これにより、第１のねじ２６の締め付けと同時に、床土台１２に対する壁パネル１３ａ〜１３ｄの位置出しを行うことができるので、防災用備蓄倉庫の組み立てが更に容易になる。
【００３１】
床パネル３２の外周には床パネル３２の一部を外側へ突出させた突出部３２ａが設けられ、突出部３２ａは床土台１２と壁パネル１３ａ〜１３ｄとが接触する面の間に挟まれている。第１のねじ２６の締め付けにより、壁パネル１３ａ〜１３ｄ及び床土台１２に対して床パネル３２を固定することができる。よって、防災用備蓄倉庫の組み立てが更に容易になる。
【００３２】
第１の穴４１は、防災用備蓄倉庫の内部に位置する壁パネル１３ａの側面に設けられていることにより、防災用備蓄倉庫の外部から悪意を持つ者が第１のねじ２６の締め付けを解除することができなくなるので、防犯効果を高めることができる。
【００３３】
[第２の実施形態]
第１の実施形態では、床土台１２と壁パネル１３ａとの接続構造について説明したが、本発明は、床土台１２と壁パネル１３ａとの接続構造のみならず、防災用備蓄倉庫を構成する他のパネル同士の接続構造にも適用可能である。第２の実施形態では、図６（ａ）及び図６（ｂ）を参照して、図１に示した防災用備蓄倉庫における壁パネル１３ａと天井パネル１１との接続構造について説明する。ここでは、壁パネル１３ａを例示し、壁パネル１３ｂ〜１３ｄを省略するが、壁パネル１３ｂ〜１３ｄについても壁パネル１３ａと同様な接続構造を有する。図６（ａ）及び図６（ｂ）は、図１のＢ−Ｂ切断面に沿った断面図であり、図６（ａ）は接続前の状態を示し、図６（ｂ）は接続後の状態を示す。
【００３４】
壁パネル１３ａと天井パネル１１とは第２のねじ１６を用いて接続される。天井パネル１１の外周部にひさしが形成されるように、天井パネル１１の外周端よりも内側において、壁パネル１３ａは天井パネル１１に接続される。壁パネル１３ａの上部、つまり天井パネル１１と接続される部分には、天井パネル１１を壁パネル１３ａに固定するための第２のねじ１６が設けられている。第２のねじ１６は、第２のおねじ１４と第２のめねじ１５とからなり、第１のねじ１６の頭部１４ａは、第１のおねじ１４に形成されている。壁パネル１３ａの上部には、第２のおねじ１４の軸は通過するが、第２のおねじ１４の頭部１４ａ及び第２のめねじ１５は通過しない大きさの穴が形成されている。第２のおねじ１４の頭部１４ａが壁パネル１３ａの内部に配置され、第２のおねじ１４の軸が、壁パネル１３ａの内部から外部に向けて突出している。壁パネル１３ａの外部において、第２のめねじ１５が第２のおねじ１４の軸に組み付けられている。
【００３５】
壁パネル１３ａの側面に第２のおねじ１４の頭部１４ａまで達する第２の穴２１が設けられている。壁パネル１３ａの側面の開口から第２のおねじ１４の頭部１４ａへ伸びる第２の穴２１の方向は、第２のおねじ１４の軸に対して所定の角度範囲内で傾斜している。所定の角度範囲は、第１の実施形態で説明した第１の穴３１と同じであり、説明を省略する。第２の穴２１にスクリュードライバー２２を挿入し、スクリュードライバー２２の先端を第２のおねじ１４の頭部１４ａに差し込むことにより、スクリュードライバー２２を用いて第２のおねじ１４を回転させて締め付けることができる。
【００３６】
一方、天井パネル１１には第２のおねじ１４が配置されていない。その代わりに、天井パネル１１には、所定の大きさの開口及び内径を有する第２のめねじ受け部２３が設けられている。第２のめねじ受け部２３と第２のめねじ１５との関係は、第１の実施形態で説明した第１のめねじ受け部３３と第１のめねじ２５との関係と同じである。つまり、図６（ａ）及び図３（ａ）に示すように、第２のめねじ１５は、長方形に近い平面形状を有する。第２のめねじ受け部３３は、第２のめねじ１５が挿入可能な開口を有する。第２のめねじ受け部２３の内径は、長方形（第２のめねじ１５）の長辺よりも短い。第２のめねじ受け部２３の開口に対して、第２のめねじ１５を所定の角度に向けて第２のめねじ受け部２３の内部に挿入する。そして、図６（ｂ）及び図３（ｂ）に示すように、スクリュードライバー２２を用いて第２のおねじ１４を回転させることによって、第２のめねじ１５も回転して第２のめねじ受け部２３の内壁に当接して、第２のめねじ１５はそれ以上回転せずに固定される。この状態で、スクリュードライバー２２を用いて第２のおねじ１４を更に回転させることにより、第２のめねじ受け部２３を挟んだ状態で第２のおねじ１４は第２のめねじ１５に締め付けられる。これにより、天井パネル１１を壁パネル１３ａに対して固定することができる。第２のめねじ１５が第２のめねじ受け部２３の内壁に当接して固定されるので、第２のおねじ１４の締め付けと同時に、壁パネル１３ａに対する天井パネル１１の位置出しを行うことができるので、防災用備蓄倉庫の組み立てが容易になる。
【００３７】
なお、図６（ａ）及び図６（ｂ）において、第２の穴２１は、防災用備蓄倉庫の内部に位置する壁パネル１３ａの側面に設けられている。第２の穴２１を防災用備蓄倉庫の内部つまり屋内側に形成することにより、防災用備蓄倉庫の外部から悪意を持つ者が第２のおねじ１４の締め付けを解除することができなくなるので、防犯効果を高めることができる。もちろん、第２の穴２１を防災用備蓄倉庫の外部つまり屋外側に形成することも可能である。この場合、固定作業が終了した後、壁パネル１３ａの第２の穴２１を専用キャップにより塞ぐことにより、防災用備蓄倉庫の防犯性、環境耐久性、美観性が向上する。
【００３８】
[第２の実施形態の変形例]
図６（ａ）及び図６（ｂ）には、長方形に近い平面形状を有する第２のめねじ１５及び第２のめねじ受け部２３を組み合わせて用いることにより、自己整合的に壁パネル１３ａと天井パネル１１の位置合わせを行う例を示したが、本発明はこれに限定されるものではない。例えば、図７に示すように、壁パネル１３ａに天井パネル１１を固定する前に、第２のめねじとしての六角ナット４５を溶接などの方法により天井パネル１１に予め固定しておいてもよい。これにより、壁パネル１３ａに対して天井パネル１１を位置合わせする必要が無くなり、防災用備蓄倉庫の組み立てが更に容易になる。第２のめねじ（六角ナット４５）の部品コストを低減することができる。
【００３９】
なお、第２の実施の形態及びその変形例では、壁パネル１３ａ〜１３ｄを床土台１２に接続する接続構造については特に限定しない。つまり、従来の接続構造であっても構わないし、第１の実施形態で示したように、本発明を適用した接続構造であっても構わない。よって、ここでは、壁パネル１３ａ〜１３ｄを床土台１２に接続する接続構造について詳細な図示及び説明を省略する。
【００４０】
以上説明したように、本発明の第２の実施形態によれば、以下の作用効果が得られる。
【００４１】
第２のねじ１６の頭部（第２のおねじ１４の頭部１４ａ）が壁パネル１３ａ〜１３ｄの内部に配置され、壁パネル１３ａ〜１３ｄの側面に第２のおねじ１４の頭部１４ａまで達する第２の穴２１が設けられている。このため、施工者は、第２の穴２１を介して、スクリュードライバー２２の先端を第２のおねじ１４の頭部１４ａに差し込むことにより、スクリュードライバー２２を用いて第２のおねじ１４を回転させて締め付けることができるので、容易に、天井パネル１１を壁パネル１３ａ〜１３ｄに固定したり、その固定を解除したりすることができる。よって、防災用備蓄倉庫の組み立てが容易になる。
【００４２】
第２のめねじ１５は長方形に近い平面形状を有し、天井パネル１１には第２のめねじ受け部２３が設けられている。そして、第２のめねじ受け部２３は、第２のめねじ１５が挿入可能な開口を有し、第２のめねじ受け部２３の内径は、長方形の長辺よりも短い。これにより、第２のねじ１６の締め付けと同時に、壁パネル１３ａ〜１３ｄに対する天井パネル１１の位置出しを行うことができるので、防災用備蓄倉庫の組み立てが更に容易になる。
【００４３】
第２の穴２１は、防災用備蓄倉庫の内部に位置する壁パネル１３ａ〜１３ｄの側面に設けられていることにより、防災用備蓄倉庫の外部から悪意を持つ者が第２のねじ１６の締め付けを解除することができなくなるので、防犯効果を高めることができる。
【００４４】
上記のように、本発明は、２つの実施の形態及びその変形例によって記載したが、この開示の一部をなす論述及び図面はこの発明を限定するものであると理解すべきではない。この開示から当業者には様々な代替実施の形態、実施例及び運用技術が明らかとなろう。即ち、本発明はここでは記載していない様々な実施の形態等を包含するということを理解すべきである。したがって、本発明はこの開示から妥当な特許請求の範囲に係る発明特定事項によってのみ限定されるものである。
【００４５】
例えば、第１及び第２の実施形態では、ねじがおねじとめねじとからなる場合について説明したが、めねじの代わりに、床土台１２、壁パネル１３ａ〜１３ｄ或いは天井パネル１１の一部にねじ山を形成してもかまわない。
【産業上の利用可能性】
【００４６】
施工者は、パネル側面に形成された穴２１、３１、４１を介して、スクリュードライバー２２の先端をおねじ１４、２４の頭部１４ａ、２４ａに差し込むことにより、スクリュードライバー２２を用いておねじ１４、２４を回転させて締め付けることができるので、容易に、天井パネル１１を壁パネル１３ａ〜１３ｄに固定したり、その固定を解除したりすることができる。よって、コンテナの組み立てが容易になるので、本発明は産業上の利用可能性を有する。
【符号の説明】
【００４７】
１１…天井パネル
１２…床土台
１３ａ〜１３ｄ…壁パネル
１４…第２のおねじ
１４ａ…頭部
１５…第２のめねじ
１６…第２のねじ
２１…第２の穴
２２…スクリュードライバー
２３…第２のめねじ受け部
２４…第１のおねじ
２４ａ…頭部
２５…第１のめねじ
２６…第１のねじ
３１、４１…第１の穴
３２…床パネル
３２ａ…突出部
３３、４３…第１のめねじ受け部
３３ａ…開口
３３ｂ…内径
３５…六角ナット（第１のめねじ）
４５…六角ナット（第２のめねじ）
【図１】
2013245520.tif 000003
【図２】
2013245520.tif 000004
【図３】
2013245520.tif 000005
【図４】
2013245520.tif 000006
【図５】
2013245520.tif 000007
【図６】
2013245520.tif 000008
【図７】
2013245520.tif 000009